(57)【要約】【課題】ビスやレール支持部等の部品を用いなくても、ガイドレールを遊技盤、或いはレール飾り等に精度良く組み付ける。【解決手段】レール飾り板にガイドレール６５が突き当てられるレール突き当て面５２と、レール突き当て面５２に連結された弾性片５３，５４とを備えたレール支持部５１を設ける。ガイドレール６５をリブに沿ってスライドさせていき、ガイドレール６５の一端部をレール突き当て面５２の溝５２ａに当接させる。このとき、ガイドレール６５の他端部をレール飾り板の保持部に保持させると、レール突き当て面５２がガイドレール６５からの押圧をうけて、図中Ｈ方向に移動する。弾性片５３，５４は、レール突き当て面５２を図中Ｋ方向に付勢するので、ガイドレール６５がリブに押し当てた状態、つまり湾曲した状態で保持される。【選択図】        図１１
2006320492.tif 000002
【特許請求の範囲】
【請求項１】
遊技球が流下する遊技領域と、該遊技球を前記遊技領域に向けて案内する案内通路と、が設けられ、前記案内通路の側壁、及び前記遊技領域を規定する側壁に沿ってガイドレールが湾曲状態で保持される遊技盤において、
前記ガイドレールは、弾性を有する帯状のレールから構成され、
前記ガイドレールの一端部を支持するとともに、前記ガイドレールが保持された場合に、前記ガイドレールの一端部に向けて付勢する弾性力を有する位置調整機構を備えたレール支持部と、
前記レール支持部によって、前記ガイドレールの一端部を支持した後に、前記案内通路の側壁及び前記遊技領域を規定する側壁に沿って前記ガイドレールが湾曲状態で保持されるように、該ガイドレールの他端部を保持する保持部とを備えたことを特徴とする遊技盤。
【請求項２】
前記位置調整機構は、ガイドレールの一端が突き当てられる突き当て面と、該突き当て面と連結され、前記ガイドレールからの押圧力に応じて、前記突き当て面の位置を変位させる弾性片とを備えていることを特徴とする請求項１記載の遊技盤。
【請求項３】
前記ガイドレールの他端部は、前記案内通路の側壁、及び前記遊技領域を規定する側壁に沿って保持されるレール部に対して屈曲され、前記保持部に保持される被保持部を備え、
前記保持部は、前記被保持部が挿通されるスリットと、前記被保持部の先端が挿通される開口を備えていることを特徴とする請求項１又は２記載の遊技盤。
【請求項４】
前記被保持部は、前記スリットから抜けることを防止する抜け防止片を備えていることを特徴とする請求項３記載の遊技盤。
【請求項５】
請求項１〜４いずれか記載の遊技盤と、前記遊技盤の遊技領域に向けて遊技球の打ち出しを行う発射装置とを備えていることを特徴とする遊技機。
【請求項６】
遊技球が流下する遊技領域と、該遊技球を前記遊技領域に向けて案内する案内通路と、が設けられた遊技盤に、前記案内通路の側壁、及び前記遊技領域を規定する側壁に沿って湾曲状態で保持されるガイドレールの保持方法において、
前記遊技盤は、
前記ガイドレールの一端が突き当てられる突き当て面と、突き当て面と連結され、ガイドレールからの押圧力を受けて、前記突き当て面の位置を調整する弾性片とを備えたレール支持部と、
該ガイドレールの他端部を保持する保持部とを備え、
前記ガイドレールの一端が突き当て面に当接された状態で、前記保持部によってガイドレールの被保持部を保持したときに、前記ガイドレールを前記案内通路の側壁、及び前記遊技領域を規定する側壁に沿って湾曲状態で保持するとともに、前記弾性片によって突き当て面の位置が調整されることによって、前記ガイドレールの一端部が保持されることを特徴とするガイドレールの保持方法。
【発明の詳細な説明】
【技術分野】
【０００１】
本発明は、遊技領域の側壁に沿って金属製のガイドレールが配設された遊技盤、遊技機及びガイドレールの保持方法に関するものである。
【背景技術】
【０００２】
遊技場に設置されるパチンコ機は、操作ハンドルを操作すると、パチンコ機内部に設けられた発射装置が駆動して遊技球の打ち出しが行われ、打ち出された遊技球は案内通路を通過して、遊技領域の上方から、遊技領域に導出される。その後、遊技球は、遊技領域を流下し、例えば障害釘や風車によって、その流下方向を変化させながら、入賞チャッカー、スタートチャッカー及びアタッカ等の入賞領域に入賞する、或いはアウト口によって回収される。
【０００３】
このようなパチンコ機の場合、遊技盤には、ガイドレールと呼ばれるステンレス製等からなる帯状金属板によって、案内通路の側壁や、遊技領域の側壁が形成されているのが一般的である。このガイドレールは、幅方向の一端に形成された孔に挿通された割ピンを遊技盤に打ち込むことによって遊技盤にガイドレールを固定することが一般的に行われている。しかしながら、上述した方法でガイドレールを遊技盤に固定する場合、ガイドレールを略円弧状に湾曲させながら割ピンを遊技盤に打ち込む必要があるため、その作業に対して高度な技術を要求されるものとなる。例えば、このような作業を専用の機械で行うことも考えられるが、専用の機械を導入するための設備投資が必要となるため、遊技盤の製造コストが高くつくという問題がある。また、この他に、ガイドレールを遊技盤から取り外す際には、割ピンごと取り外すことになるが、割ピンが圧入されているため、遊技盤からガイドレールを取り外す作業は容易なものではないという問題もある。
【０００４】
このため、例えばガイドレールの幅方向の端部にガイドレール取付けピンを複数設け、遊技盤にガイドレールの取り付け位置にガイドレール取付けピンが挿通される段付き孔を設け、該ガイドレール取付けピンを段付き孔に挿通させた状態で、遊技盤の裏側からネジ止め固定することが考えられる（特許文献１）。これによれば、取り付けピンを段付き孔に挿通させてネジ止めされるだけなので、ガイドレールを遊技盤に組み付ける作業、或いは取り外す作業も容易になる。
【０００５】
最近では、遊技盤面に装着される飾り枠にレール装着面を形成し、レール装着面にガイドレールを装着するものが知られている。この場合、例えばガイドレールに組み付けられたレール支持具をレール飾りに設けられた嵌合凹部に嵌合させる（特許文献２）、或いは断面がＭ字状のガイドレールを遊技盤取付枠にビス等により固定することが考えられる（特許文献３）。
【特許文献１】特開２００４−４９８０８号公報
【特許文献２】特許３０４３８９９号公報
【特許文献３】特開２００２−５８８１３号公報
【発明の開示】
【発明が解決しようとする課題】
【０００６】
しかしながら、上述した方法では、ガイドレールをレール飾りや遊技盤取付枠に対して容易に組み付けることができるという利点はあるが、例えばレール支持具や、ビス等を用いることで遊技盤の部品点数が多くなり、結果的に製造コストが高くなるという問題がある。また、レール支持部を用いてガイドレールをレール飾りに組み付ける場合、ガイドレールが保持されていない部分がリール装着面から浮いた状態で組み付けられる、或いはガイドレールを遊技盤取付枠にビス止めにより固定する場合、ビスによって固定されていない部分がリールの装着面から浮いた状態で組み付けられるということがあり、このようなガイドレールが浮いた状態の遊技盤が組み付けられたパチンコ機で遊技を行った場合には、打ち出された遊技球が移動したときの移動軌跡にばらつきが生じてしまうという問題がある。
【０００７】
本発明は、上記課題を解決するためになされたものであり、ビスやレール支持部等の部品を用いなくても、ガイドレールを遊技盤、或いはレール飾り等に精度良く組み付けることができるようにした遊技盤、これを用いた遊技機、及びガイドレールの保持方法を提供することを目的とする。
【課題を解決するための手段】
【０００８】
上記目的を達成するために、本発明の遊技盤は、遊技球が流下する遊技領域と、該遊技球を前記遊技領域に向けて案内する案内通路と、が設けられ、前記案内通路の側壁、及び前記遊技領域を規定する側壁に沿ってガイドレールが湾曲状態で保持される遊技盤において、前記ガイドレールは、弾性を有する帯状のレールから構成され、前記ガイドレールの一端部を支持するとともに、前記ガイドレールが保持された場合に、前記ガイドレールの一端部に向けて付勢する弾性力を有する位置調整機構を備えたレール支持部と、前記レール支持部によって、前記ガイドレールの一端部を支持した後に、前記案内通路の側壁及び前記遊技領域を規定する側壁に沿って前記ガイドレールが湾曲状態で保持されるように、該ガイドレールの他端部を保持する保持部とを備えたことを特徴とする。
【０００９】
また、前記位置調整機構は、ガイドレールの一端が突き当てられる突き当て面と、該突き当て面と連結され、前記ガイドレールからの押圧力に応じて、前記突き当て面の位置を変位させる弾性片とを備えていることを特徴とする。
【００１０】
また、前記ガイドレールの他端部は、前記案内通路の側壁、及び前記遊技領域を規定する側壁に沿って保持されるレール部に対して屈曲され、前記保持部に保持される被保持部を備え、前記保持部は、前記被保持部が挿通されるスリットと、前記被保持部の先端が挿通される開口を備えていることを特徴とする。
【００１１】
また、前記被保持部は、前記スリットから抜けることを防止する抜け防止片を備えていることを特徴とする。
【００１２】
また、本発明の遊技機は、上記記載の遊技盤と、前記遊技盤の遊技領域に向けて遊技球の打ち出しを行う発射装置とを備えていることを特徴とする。
【００１３】
また、本発明のガイドレールの保持方法としては、遊技球が流下する遊技領域と、該遊技球を前記遊技領域に向けて案内する案内通路と、が設けられた遊技盤に、前記案内通路の側壁、及び前記遊技領域を規定する側壁に沿って湾曲状態で保持されるガイドレールの保持方法において、前記遊技盤は、前記ガイドレールの一端が突き当てられる突き当て面と、突き当て面と連結され、ガイドレールからの押圧力を受けて、前記突き当て面の位置を調整する弾性片とを備えたレール支持部と、該ガイドレールの他端部を保持する保持部とを備え、前記ガイドレールの一端が突き当て面に当接された状態で、前記保持部によってガイドレールの被保持部を保持したときに、前記ガイドレールを前記案内通路の側壁、及び前記遊技領域を規定する側壁に沿って湾曲状態で保持するとともに、前記弾性片によって突き当て面の位置が調整されることによって、前記ガイドレールの一端部が保持されることを特徴とする。
【発明の効果】
【００１４】
本発明の遊技盤によれば、遊技球が流下する遊技領域と、該遊技球を前記遊技領域に向けて案内する案内通路と、が設けられ、前記案内通路の側壁、及び前記遊技領域を規定する側壁に沿ってガイドレールが湾曲状態で保持される遊技盤において、前記ガイドレールは、弾性を有する帯状のレールから構成され、前記ガイドレールの一端部を支持するとともに、前記ガイドレールが保持された場合に、前記ガイドレールの一端部に向けて付勢する弾性力を有する位置調整機構を備えたレール支持部と、前記レール支持部によって、前記ガイドレールの一端部を支持した後に、前記案内通路の側壁及び前記遊技領域を規定する側壁に沿って前記ガイドレールが湾曲状態で保持されるように、該ガイドレールの他端部を保持する保持部とを備えたから、例えばガイドレールや、前記案内通路の側壁、及び前記遊技領域を規定する側壁の部品精度が低い場合であっても、ガイドレールを確実に保持することができるとともに、ガイドレールが前記案内通路の側壁、及び前記遊技領域を規定する側壁に押圧した状態で保持させることができる。
【００１５】
また、前記位置調整機構は、ガイドレールの一端が突き当てられる突き当て面と、該突き当て面と連結され、前記ガイドレールからの押圧力に応じて、前記突き当て面の位置を変位させる弾性片とを備えているから、ガイドレールの長さがばらついていたとしても、ガイドレールの一端側を、確実に支持することができる。
【００１６】
また、前記ガイドレールの他端部は、前記案内通路の側壁、及び前記遊技領域を規定する側壁に沿って保持されるレール部に対して屈曲され、前記保持部に保持される被保持部を備え、前記保持部は、前記被保持部が挿通されるスリットと、前記被保持部の先端が挿通される開口を備えているから、ガイドレールの他端部を保持部に容易に組み付けることができ、また、確実にガイドレールの他端部を保持することができる。
【００１７】
また、前記被保持部は、前記スリットから抜けることを防止する抜け防止片を備えているから、ガイドレールが前記案内通路の側壁、及び前記遊技領域を規定する側壁に突き当てられることにより、湾曲された部分には、保持部から抜ける方向に力が働くため、保持部から外れる恐れがあるが、抜け防止片を備えることで、ガイドレールの他端部が、保持部から外れることを防止することができる。
【発明を実施するための最良の形態】
【００１８】
図１は、本発明が実施されたパチンコ機（遊技機）の外観を示す斜視図である。このパチンコ機２は、基体となる本体部材３に、上部扉４及び下部扉５からなる２枚の前面扉６が本体部材３に対して回動自在となるように、図示しないヒンジ部を介して組み付けられる。上部扉４の中央には開口４ａが設けられており、この開口４ａは上部扉４の裏側に取り付けられるガラス７等の透光性を有する部材により遮蔽される。なお、上部扉４が閉じている状態では、遊技の際に遊技領域１６（図２参照）を流下する遊技球や、遊技領域に設けられた構造物は、上記開口４ａを遮蔽するガラス７を介して視認される。なお、符号８は、本体部材３を遊技場等に固定するための固定枠である。
【００１９】
下部扉５には、供給皿１０、操作ハンドル１１等が設けられる。供給皿１０には、遊技を開始する際に遊技球が供給される他に、遊技領域１６を流下する遊技球が、遊技領域１６に設けられた入賞領域のいずれかに入賞したことを受けて払い出される賞球としての遊技球が受容される。なお、符号１２は払出し口であり、この払出し口１２を介して、賞球としての遊技球が払い出される。
【００２０】
操作ハンドル１１は、遊技を行う際に操作される。この操作ハンドル１１を操作すると、発射装置１５が駆動し、遊技球の打ち出しが開始される。また、発射装置１５における遊技球の打ち出し強さは、操作ハンドル１１の操作量に応じて変化する。
【００２１】
図２は、本体部材３から遊技盤ユニット２０を取り外した状態を示す斜視図である。本体部材３には、上述した上部扉４及び下部扉５が回動自在に組み付けられる他に、発射装置１５、払出装置及び電源装置や、発射装置１５を駆動させる発射制御装置、払出装置を駆動制御する払出制御装置が組み付けられている。なお、符号３ａは、遊技盤ユニット２０が組み付けられる、組み付け空間部である。
【００２２】
図３に示すように、遊技盤ユニット２０は、遊技盤２１、支持体２２、レール飾り板２３から構成され、遊技盤２１の前方からレール飾り板２３が、遊技盤２１の後方から支持体２２がそれぞれ組み付けられる。遊技盤２１には、その略中央に、センター役物２５と呼ばれる構造物が設けられ、その側方、或いは下方に、通過チャッカー２６、始動チャッカー２７、入賞チャッカー２８、アタッカ２９等の構造物が配設されている。また、図示はしないが、遊技盤２０には、障害釘や、風車などの構造物が配設されている。なお、符号３０は飾りである。
【００２３】
支持体２２は、その略中央が開口された形状をしており、その前面に、回収通路３５が形成されている。この回収通路３５は、例えば始動チャッカー２７や入賞チャッカー２８に入賞した遊技球を、遊技場に設けられた回収タンク（図示せず）に案内するために設けられている。また、この支持体２２の上方、及び下方には、ボス３６が形成されている。このボス３６は、遊技盤２１に設けられた開口２１ａに挿入されることで、遊技盤２１に対する支持体２２の位置決めが行われ、ボス３６に設けられた開口３６ａに、レール飾り板２３の後面に設けられた操作つまみ４３が挿通される。なお、操作つまみ４３を回転させることによって、遊技盤２１がレール飾り板２３と支持体２２とによって挟持された状態で、レール飾り板２３と支持体２２とが係合される。この支持体２２の回収通路３５が設けられた面とは反対側の面には、図示はしないが、図柄表示装置や、図柄表示装置を駆動制御する表示制御装置や、遊技における制御を行う遊技制御回路等が配設されている。
【００２４】
図４に示すように、レール飾り板２３は、その中央が開口された形状から構成されている。レール飾り板２３の前面には、開口２３ａに連なって湾曲状のリブ（案内通路４２の側壁、遊技領域１６を規定する側壁）４０が立設されている。このリブ４０の内壁面には、後述するガイドレール６５が押し当てられた状態で保持される。また、リブ４０の一端に連なって略Ｕ字状のレール飾り４１が配設されている。このリブ４０とレール飾り４１との間の空間が、発射装置１５によって打ち出された遊技球が案内される案内通路４２となる。また、リブ４０の内側の側壁と、レール飾り４１の内側の側壁面とによって開口２３ａが遊技領域として規定される。また、このレール飾り板２３の裏面（リブ４０が立設された面とは反対側となる面）には、支持体２２のボス３６に設けられた開口３６ａに挿通される操作つまみ４３が回転自在に組み付けられている。なお、符号４６は、アウト口４７を形成するアウト口形成部である。
【００２５】
レール飾り４１の上部側の一端部には、後述するガイドレール６５の一端が挿通されるスリット５０が形成されている。図５、６に示すように、スリット５０の図中右側斜め下方には、ガイドレール６５の一端を支えるレール支え部（レール支持部）５１が配設されている。このレール支え部５１は、弾性力を有する素材から形成されている。このレール支え部５１は、略Ｗ字状から形成され、ガイドレール６５の一端が突き当てられるレール突き当て面（位置調整機構、突き当て面）５２と、レール突き当て面５２のそれぞれの端部と個々に連設され、レール突き当て面５２の位置を調節する略Ｖ字形状の弾性片（位置調整機構）５３，５４とを備えている。レール突き当て面５２は、その中央が、例えば円弧状の溝５２ａを備えている。この円弧状の溝５２ａにガイドレール６５の一端が突き当てられることで、ガイドレール６５の弾性力によってガイドレール６５の一端が図６中Ｃ方向へと移動し、レール支え部５１から離脱することを防止している。なお、溝５２ａの形状を円弧状としたが、これに限定する必要はないものとする。また、レール突き当て面５２に溝５２ａを設ける他に、ガイドレール６５の一端部を挟持する、挟持片をレール突き当て面から突設させることも可能である。この場合、挟持片の少なくとも先端の間隔をガイドレール６５の板厚よりも狭くすることで、ガイドレール６５の一端部が挟持片によって支持される、つまりレール支持部に確実に支持されることになる。
【００２６】
図７、８に示すように、リブ４０の端部のうち、レール飾り板２３の左側下方の端部は、案内通路４２の外側（遊技領域１６側とは反対側）に向けて略円弧状に湾曲されている。以下では、この湾曲した端部を湾曲部４０ａとして説明する。レール飾り板２３の左側端部にはリブ５６が立設され、このリブ５６から湾曲部４０ａに（遊技領域１６側に）向けて、且つリブ５６に直交するようにリブ５７が立設されている。このリブ（保持部）５７は、その先端と、湾曲部４０ａの先端との隙間（以下、スリット５８と称する）がガイドレール６５の板厚よりもやや大きい間隔Ｌを空けて形成されている。このリブ５７の先端は、レール飾り板２３の下端縁に向けて、且つ案内通路４２側に湾曲するように立設されるリブ（以下、案内片と称する）５９と連設している。なお、このリブ５７の上面は、ガイドレール６５の挿入部６５ｂに設けられた係止片６５ｄの先端が当接される。
【００２７】
案内片５９は、ガイドレール６５の一端を、リブ５７の先端と、湾曲部４０ａの先端との間に設けられたスリット５８に向けて案内するために設けられている。また、リブ５７の上方には、該リブ５７に対して略水平となるように、またリブ５７に対して所定の間隔を空けてリブ６０が設けられている。このリブ６０の中央部には、挿通孔（開口、保持部）６０ａが形成されている。なお、この挿通孔６０ａには、ガイドレール６５の端部６５ｃが挿通される。
【００２８】
ガイドレール６５は、例えばステンレス等の金属製の板部材から構成されている。このガイドレール６５は上述したレール飾り２３のリブ４０に沿って配設されるレール部６５ａと、このレール部６５ａに対して外側に湾曲された部分６５ｂとから構成される。この湾曲された部分６５ｂがスリット５７に挿通される挿入部（以下、符号６５ｂ）となる。この挿入部（被保持部）６５ｂの先端６５ｃは、その幅方向の長さが他の部分よりも細くなるように切り欠かれており、スリット５８に挿通された後に、リブ６０に設けられた挿通孔６０ａに挿通される。なお、挿入部６５ｂにはコ字状の切り込みがされており、該切り込みの内側の部分を、挿入部６５ｂの外側に向けて折り曲げることによって、係止片（抜け防止片）６５ｄが設けられる。なお、この係止片６５ｄは、スリット５８への挿通時にスリット５８の間隔まで撓むことによって、挿入部６５ｂのスリット５８へ挿通を許容し、スリット５８に挿通された後は、その復帰力によって挿入部６５ｂから突出する。この際、係止片６５ｄの先端と、挿入部６５ｂとの間隔Ｍ（図１０参照）がスリット５８よりも広くなり、また、係止片６５ｄの先端がリブ５７に引掛かるので、ガイドレール６５の挿入部６５ｂがスリット５８から抜けないようになっている。
【００２９】
次に、本実施形態の作用について説明する。図９に示すように、レール飾り板２３にガイドレール６５を組み付ける際には、ガイドレール６５をリブ４０に沿ってスライドさせていく。そして、ガイドレール６５の一端部を、レール飾り４１に設けられたスリット５０に挿通させるようにガイドレール６５を移動させる。このとき、ガイドレール６５の他端側の挿入部６５ｂを案内片５９に沿って（図１０中Ｆ方向に）移動させ、挿入部６５ｂをスリット５８に挿通させる。そして、ガイドレール６５の先端６５ｃをリブ６０に設けられた挿通孔６０ａに挿通させる。このとき、挿入部６５ｂに形成された係止片６５ｄがスリット５８の挿通時に、スリット５８の幅Ｌまで撓んで、その挿通後に挿入部６５ｂから外側（リブ５６側）に突出した状態に復帰する。係止片６５ｄが挿入部６５ｂから外側（リブ５６側）に突出した状態に復帰することで、係止片６５ｄの先端から挿入部６５ｂまでの幅Ｍがスリット５８の幅Ｌよりも広くなり、また、係止片６５ｄの先端がリブ５７の上面に当接することにより、ガイドレール６５の挿入部６５ｂが自重によってスリット５８から抜け落ちることが防止される。
【００３０】
一方、図１１に示すように、ガイドレール６５をスライドさせることによって、ガイドレール６５の一端が、突き当て面５２の溝５２ａに突き当てられる。ガイドレール６５を図１１中Ｇ方向にスライドさせることによって、突き当て面５２が図１１中Ｈ方向に押圧されることになる。この押圧によって、弾性片５３が図１１中Ｉ方向に、弾性片５４が図１１中Ｊ方向に移動し、突き当て面５２が図１１中Ｈ方向に（例えば図１１中二点差線で示す位置まで）移動する。そして、ガイドレール６５の挿入部６５ｂがスリット５８に挿入された状態で保持されることによって、ガイドレール６５のスライドが停止される。なお、弾性片５３，５４は、突き当て面５２を図１１中Ｋ方向に付勢しているので、ガイドレール６５がレール飾り板２３に組み付けられると、ガイドレール６５がリブ４０に対して押し付けられる、つまりガイドレール６５が湾曲状態で保持される。
【００３１】
これにより、ネジ等の部品を用いなくても、容易にガイドレール６５をレール飾り板２３に組み付けることができるので、作業効率を上げることができる。なお、ガイドレール６５が組み付けられたレール飾り板２３は、遊技盤２１及び支持体２２と遊技盤ユニット２０として組み合わされ、本体部材３に組み込まれる。また、遊技盤ユニットを解体する際には、係止片６５ｃをその付勢に抗して、挿入部６５ｂ側に押圧したまま挿入部６５ａをスリット５８から抜き出すことで、容易にレール飾り板２３からガイドレール６５を取り外すことができ、解体作業時の作業性を向上させることができるとともに、解体作業時に、ガイドレール６５を変形させる、或いはレール飾り板２３を破損させることがないので、ガイドレール６５、或いはレール飾り板２３を再利用することができる。
【００３２】
本実施形態では、遊技盤と、レール飾り板とを別部品から構成した例を取り上げたが、これに限定する必要はなく、例えば、レール飾りを備えた遊技盤に対して本発明を用いることが可能である。
【００３３】
本実施形態では、ガイドレールの一端をレール支え部によって支持し、その他端によって、レール飾りと係合させるようにしたが、これに限定する必要はなく、レール支え部によって支持されたガイドレールの他端をネジ等によってレール飾り板に固定することも可能である。
【００３４】
本実施形態では、ガイドレールをリブに押し当てた状態で保持するようにしたが、これに限定する必要はなく、ガイドレールをレール飾り板に組み付ける際に、ガイドレールの挿入方向をガイドするガイド片を、リブに沿って設けることも可能である。図１２に示すように、リブ７０の幅方向の両端部にガイド片７１，７２を設ける。ガイド片７１は、リブ７０の高さ方向の先端部から突出する突片７３と、該突片７３からガイドレール８０の幅方向の中心に向けて、且つリブ７０の側壁面と平行に延設された係止片７４とから構成する。同様に、ガイド片７２は、リブ７０の高さ方向の根本部から突出する突片７５と、該突片７５からガイドレール８０の幅方向の中心に向けて、且つリブ７０の側壁面と平行に延設された係止片７６とから構成する。なお、リブ７０の側壁面から係止片７４、７６までの間隔Ｐは、ガイドレール８０の板厚Ｑよりも広くなるように設けられ、ガイド片７１の突片７３と、ガイド片７２の突片７５との間隔Ｒは、ガイドレール８０の幅Ｓよりも広くなるように設けられる。また、ガイド片７１の係止片７４と、ガイド片７１の係止片７６との間隔Ｔは、ガイドレール８０の幅Ｓよりも狭くなるように設けられている。
【００３５】
これにより、ガイドレール８０をリブ７０の側壁面に沿って移動させ組み付ける際に、ガイドレール８０が係止片７１，７２によって、確実にリブ７０の側壁面に沿って移動させることができる。また、ガイドレール８０をレール飾り板に組み付けた場合には、ガイドレール８０は、リブ７０の側壁面に沿って、つまり湾曲した状態で保持されることになるが、ガイドレール８０が湾曲した状態を維持することができなくなり、ガイドレール８０がリブ７０から離れようとしても、この係止片７１，７２によってガイドレール８０がリブ７０から離間して歪むことを防止することができる。なお、リブ７０に設けられる係止片の数は、適宜設定されるものであるが、複数設ける場合には、等間隔となるように配置することが好ましい。また、係止片を、リブの幅方向の両端に設けてあるが、リブの先端側にのみ設けることも可能である。
【図面の簡単な説明】
【００３６】
【図１】本発明のパチンコ機の外観を示す斜視図である。
【図２】遊技盤ユニットを本体部材から取り外した状態を示す斜視図である。
【図３】遊技盤ユニットの構成を示す斜視図である。
【図４】レール飾り板の構成を示す斜視図である。
【図５】図４に示す符号Ａの部分であって、ガイドレールが組み付けられていない状態を示す斜視図である。
【図６】図４に示す符号Ａの部分であって、ガイドレールが組み付けられた状態を示す斜視図である。
【図７】図４に示す符号Ｂの部分であって、ガイドレールが組み付けられていない状態を示す斜視図である。
【図８】図４に示す符号Ｂの部分であって、ガイドレールが組み付けられた状態を示す斜視図である。
【図９】ガイドレールをレール飾り板に組み付ける際の一例を示す正面図である。
【図１０】図９に示す符号Ｄの部分を示す拡大図である。
【図１１】図９に示す符号Ｅの部分を示す拡大図である。
【図１２】リブに係止片を設けた場合を示す斜視図である。
【符号の説明】
【００３７】
２  パチンコ機
１５  発射装置
１６  遊技領域
４０  リブ（案内通路の側壁、遊技領域を規定する側壁）
４２  案内通路
５１  レール支え部（レール支持部）
５２  レール突き当て面（位置調整機構、突き当て面）
５３，５４  弾性片（位置調整機構）
５７  リブ（保持部）
６０  リブ（保持部）
６０ａ  挿通孔（開口、保持部）
６５  ガイドレール
６５ａ  レール部
６５ｂ  挿入部（被保持部）
６５ｄ  係止片（抜け防止片）
【図１】
2006320492.tif 000003
【図２】
2006320492.tif 000004
【図３】
2006320492.tif 000005
【図４】
2006320492.tif 000006
【図５】
2006320492.tif 000007
【図６】
2006320492.tif 000008
【図７】
2006320492.tif 000009
【図８】
2006320492.tif 000010
【図９】
2006320492.tif 000011
【図１０】
2006320492.tif 000012
【図１１】
2006320492.tif 000013
【図１２】
2006320492.tif 000014